(57)【要約】      （修正有）【課題】簡易な構成で、多種類の景品を景品収納部に配置することができる景品獲得装置及び景品配置装置を提供する。【解決手段】景品収納部内で移動自在に吊り下げ支持され、先端にフック１１０ｃを有する景品取得部１１０と、リング６ａを有する景品６と、一辺を回転軸として回動する景品載置台１１と、該景品載置台１１と紐状部材１３を介して接続され、景品収納部内で景品載置台１１の上方に吊り下げ支持された調整部材１４と、該調整部材１４に接触させながら調整部材１４を押し下げることにより、景品載置台１１を景品収納部の床面に対して略水平になる角度まで回動させてフック１１０ｃに係止された景品６を景品載置台１１に載置させると共に、フック１１０ｃの係止が外れる位置まで景品取得部１１０を下降させた後、景品載置台１１から景品６が落下する角度まで景品載置台１１を回動させるように、景品取得部１１０を上昇させる制御部とを備える。【選択図】図２
0003167572.tif 000002
【実用新案登録請求の範囲】
【請求項１】
景品収納部内の景品を、景品排出口から前記景品収納部外へ排出する景品獲得装置であって、
前記景品収納部内で移動自在に吊り下げ支持され、先端に環形状又はフック形状の第１の係止手段を有する景品取得部と、
前記第１の係止手段と係止するための第２の係止手段を有する景品と、
前記景品排出口の上方に設けられ、一辺を回転軸として回動する景品載置台と、
前記景品載置台と紐状部材を介して接続され、前記景品収納部内で前記景品載置台の上方に吊り下げ支持された調整部材と、
前記調整部材に接触させながら前記調整部材を押し下げることにより、前記景品載置台を前記景品収納部の床面に対して略水平になる角度まで回動させて前記第１の係止手段に係止された景品を前記景品載置台に載置させると共に、前記第１の係止手段の係止が外れる位置まで前記景品取得部を下降させた後、前記景品載置台から前記景品が落下する角度まで前記景品載置台を回動させるように、前記景品取得部を上昇させる制御部と、
を備えたことを特徴とする景品獲得装置。
【請求項２】
前記調整手段は、
前記景品取得部と接触する位置に滑り止め部材を有する
ことを特徴とする請求項１記載の景品獲得装置。
【請求項３】
前記景品取得部は、
前記制御部による下降に伴い、前記調整部材に接触しながら前記調整部材を押し下げる調整接触部材を有した
ことを特徴とする請求項１又は２記載の景品獲得装置。
【請求項４】
景品収納部内で移動自在に吊り下げ支持され、先端に環形状又はフック形状の第１の係止手段を有する景品取得部と、前記第１の係止手段と係止するための第２の係止手段を有する景品とを備え、前記第１の係止手段により係止された景品を景品排出口から前記景品収納部外へ排出する景品獲得装置内に設けられる景品配置装置であって、
前記景品排出口の上方に設けられ、一辺を回転軸として回動する景品載置台と、
前記景品載置台と紐状部材を介して接続されることにより前記景品収納部内で前記景品載置台の上方に吊り下げ支持されており、前記景品取得部の下降に伴い、前記景品取得部に接触しながら押し下げられる調整部材とを備え、
前記景品載置台は、
前記調整部材が押し下げられることにより、前記景品収納部の床面に対して略水平になる角度まで回動して前記第１の係止手段に係止された景品を載置すると共に、前記景品取得部が前記第１の係止手段の係止が外れる位置まで下降した後、前記景品取得部の上昇に伴って前記調整部材が上昇することにより、前記景品が落下する角度まで回動する
ことを特徴とする景品配置装置。
【請求項５】
前記調整手段は、
前記景品取得部と接触する位置に滑り止め部材を有する
ことを特徴とする請求項４記載の景品配置装置。
【考案の詳細な説明】
【技術分野】
【０００１】
本考案は、遊技者の操作に基づいて、景品収納部内に配置された景品を景品排出口から排出する景品獲得装置及び景品配置装置に関する。
【背景技術】
【０００２】
昨今、ゲームセンター等の遊技施設には、景品獲得装置の１つとして、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、遊技者は、操作部の操作釦を操作することにより、景品収納部内底面のフロアパネル上に配置された景品に対してクレーン駆動機構を動作させて景品把持部が目標とする景品の真上に到着したと思われるとき操作釦の操作を停止させる。
【０００５】
その後、景品把持部は自動的に降下し、景品収納部のフロアパネルに到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、近年では、一般的なクレーン遊技装置から、さらにゲーム性を高めるために、例えば、特許文献２及び特許文献３に示すように、景品を把持するのではなく、景品に付けた掛止孔に、掛け止めるフックを懸吊すると共に、景品落下口の上方においてフックから景品を外すように動作する景品獲得ゲーム機が提案されている。
【先行技術文献】
【特許文献】
【０００８】
【特許文献１】特開２０００−８４２３６号公報
【特許文献２】特開２００３−２３６２３１号公報
【特許文献３】特開２００７−２７５４２７号公報
【考案の概要】
【考案が解決しようとする課題】
【０００９】
しかしながら、特許文献１に記載のクレーン遊技装置のような景品獲得装置では、景品として玩具が内包された景品箱や人形等が用いられ、その種類により重量が異なる場合が多い。そのため、景品獲得ゲームの難易度を最適にするために、クレーン遊技装置を運営する運営者は、クレーン遊技装置に備えられた景品把持部の景品を把持する把持力を、景品の重量に応じた最適値に設定する必要がある。
【００１０】
そのため、クレーン遊技装置の景品収納部内に載置する景品の種類を変更する度に、運営者は、景品把持部の把持力を景品の重量に応じて変更する必要があり、この変更作業が非常に煩わしかった。また、クレーン遊技装置の景品収納部内に載置する景品を全て同一の重量のものとする必要があった。
【００１１】
また、特許文献２〜特許文献３に記載の技術では、重量の重い景品を吊り上げる際、大きい吊力が必要となるので、トルクが大きい駆動機構を備える必要があり、装置本体が大型化及び複雑化する。これにより、製造コストが増大すると共に、故障率が高くなることによるメンテナンスコストが増大するという課題があった。
【００１２】
本考案は、上記課題に鑑みてなされたものであり、景品把持部の把持力調整等、機器の調整を行うことなく、簡易な構成で、多種類の景品を景品収納部内に配置することができる景品獲得装置及び景品配置装置を提供することを目的とする。
【課題を解決するための手段】
【００１３】
上記目的を達成するため、本考案に係る景品獲得装置の第１の特徴は、景品収納部内の景品を、景品排出口から前記景品収納部外へ排出する景品獲得装置であって、前記景品収納部内で移動自在に吊り下げ支持され、先端に環形状又はフック形状の第１の係止手段を有する景品取得部と、前記第１の係止手段と係止するための第２の係止手段を有する景品と、前記景品排出口の上方に設けられ、一辺を回転軸として回動する景品載置台と、前記景品載置台と紐状部材を介して接続され、前記景品収納部内で前記景品載置台の上方に吊り下げ支持された調整部材と、前記調整部材に接触させながら前記調整部材を押し下げることにより、前記景品載置台を前記景品収納部の床面に対して略水平になる角度まで回動させて前記第１の係止手段に係止された景品を前記景品載置台に載置させると共に、前記第１の係止手段の係止が外れる位置まで前記景品取得部を下降させた後、前記景品載置台から前記景品が落下する角度まで前記景品載置台を回動させるように、前記景品取得部を上昇させる制御部とを備えたことにある。
【００１４】
上記目的を達成するため、本考案に係る景品獲得装置の第２の特徴は、前記調整手段は、前記景品取得部と接触する位置に滑り止め部材を有することにある。
【００１５】
上記目的を達成するため、本考案に係る景品獲得装置の第３の特徴は、前記景品取得部は、前記制御部による下降に伴い、前記調整部材に接触しながら前記調整部材を押し下げる調整接触部材を有したことにある。
【００１６】
上記目的を達成するため、本考案に係る景品配置装置の第１の特徴は、景品収納部内で移動自在に吊り下げ支持され、先端に環形状又はフック形状の第１の係止手段を有する景品取得部と、前記第１の係止手段と係止するための第２の係止手段を有する景品とを備え、前記第１の係止手段により係止された景品を景品排出口から前記景品収納部外へ排出する景品獲得装置内に設けられる景品配置装置であって、前記景品排出口の上方に設けられ、一辺を回転軸として回動する景品載置台と、前記景品載置台と紐状部材を介して接続されることにより前記景品収納部内で前記景品載置台の上方に吊り下げ支持されており、前記景品取得部の下降に伴い、前記景品取得部に接触しながら押し下げられる調整部材とを備え、前記景品載置台は、前記調整部材が押し下げられることにより、前記景品収納部の床面に対して略水平になる角度まで回動して前記第１の係止手段に係止された景品を載置すると共に、前記景品取得部が前記第１の係止手段の係止が外れる位置まで下降した後、前記景品取得部の上昇に伴って前記調整部材が上昇することにより、前記景品が落下する角度まで回動することにある。
【００１７】
上記目的を達成するため、本考案に係る景品配置装置の第２の特徴は、前記調整手段は、前記景品取得部と接触する位置に滑り止め部材を有することにある。
【考案の効果】
【００１８】
本考案に係る景品獲得装置及び景品配置装置によれば、機器の調整することなく、簡易な構成で、多種類の景品を景品収納部内に配置することができる。
【図面の簡単な説明】
【００１９】
【図１】本考案の実施例１である景品獲得装置の斜視図である。
【図２】本考案の実施例１である景品獲得装置の景品収納部内部を示した斜視図である。
【図３】（ａ）は、本考案の実施例１である景品獲得装置に備えられた景品取得部がフロア部に載置された景品６を係止した状態を示しており、（ｂ）は、本考案の実施例１である景品獲得装置に備えられた景品取得部が景品を吊り上げ移動している状態を示しており、（ｃ）は、本考案の実施例１である景品獲得装置に備えられた景品取得部が調整部材を押し下げた状態を示しており、（ｄ）は、本考案の実施例１である景品獲得装置に備えられた景品載置台がフロア部の床面に対して略平行になった状態を示しており、（ｅ）は、本考案の実施例１である景品獲得装置において景品が落下した状態を示している。
【図４】本考案の実施例１である景品獲得装置が備える景品取得部を下方から見た図である。
【考案を実施するための形態】
【００２０】
以下、本考案を実施するための形態について図面を参照して説明する。
【実施例１】
【００２１】
本考案の実施例１では、景品を景品収納部内に吊り下げ配置し、遊技者の操作に基づいて、景品収納部内に配置された景品を景品排出口から排出する景品獲得装置を例に挙げて説明する。
【００２２】
＜景品獲得装置１の構成＞
図１は、本考案の実施例１である景品獲得装置の斜視図である。
【００２３】
図１に示すように、景品獲得装置１は、三方を透明板で囲まれた景品収納部１０１と、この景品収納部１０１内に設けられた景品取得部１１０，１１１と、この景品取得部１１０，１１１を景品収納部１０１内で所望位置に移動させるクレーン機構１０３と、景品収納部１０１内の底面に備えられたフロア部１０４とを備えている。
【００２４】
このフロア部１０４は、フロアパネルの組み替え式が採用されており、このフロアパネルを組み替えることで、任意の場所に景品排出口１０４ａ，１０４ｂを備えるようにすることができる。
【００２５】
景品収納部１０１の下方には、景品獲得装置１内部の景品排出口１０４ａ，１０４ｂからそれぞれ連通する景品受取口１０５ａ，１０５ｂと、操作釦やコイン投入口等を有する操作部１０６とが設けられている。
【００２６】
クレーン機構１０３は、景品取得部１１０，１１１を吊り下げ支持すると共に、遊技者による操作部１０６の操作により、景品取得部１１０，１１１を景品収納部１０１内で前後方向（Ｙ１，Ｙ２方向）、左右方向（Ｘ１，Ｘ２方向）、及び上下方向（Ｚ１，Ｚ２方向）の３方向に移動させる。
【００２７】
また、景品獲得装置１の下部には、クレーン機構１０３など景品獲得装置１内の各機器を制御する制御部１０７を備えている。
【００２８】
図２は、本考案の実施例１である景品獲得装置１の景品収納部１０１内部を示した斜視図である。なお、景品獲得装置１は、正面向かって左右対称の構成を有しているので、ここでは、景品獲得装置１の左側部分について説明する。
【００２９】
図２に示すように、景品取得部１１０は、キャッチャー１１０ａと、このキャッチャー１１０ａから吊り下げられた支持チェーン１１０ｂと、支持チェーン１１０ｂの端部に固定されたフック１１０ｃとを備えており、制御部１０７からの制御信号に基づいてクレーン機構１０３が駆動することにより、キャッチャー１１０ａと、支持チェーン１１０ｂと、フック１１０ｃとが、景品収納部１０１内で前後、左右、及び上下の３方向に移動する。
【００３０】
フロア部１０４上には、景品６が載置されている。景品６は、景品本体部６ｂと、フック１１０ｃと係止するための環形状を有するリング６ａを有している。
【００３１】
また、景品排出口１０４ａの上方には、平板状の景品載置台１１が設けられており、この景品載置台１１は、一辺を回転軸１１ａとして、フロア部１０４上に固定された軸受１２により回動自在に支持されている。
【００３２】
景品収納部１０１内の景品載置台１１の上方（Ｚ２方向）には、紐状部材１３を介して景品載置台１１と接続されることにより調整部材１４が吊り下げ支持されている。
【００３３】
調整部材１４は、円筒形状を有しており、景品取得部１１０と接触する位置に、滑り止め部材１４ａが取り付けられている。滑り止め部材１４ａは、ゴムや樹脂等の弾性体で成型されており、円筒形状の調整部材１４の周囲を覆うように取り付けられている。
【００３４】
紐状部材１３は、景品収納部１０１内に２本設けられており、景品載置台１１の回転軸１１ａの対向する辺の両端に１本づつ接続されており、それぞれは、景品収納部１０１内の上部に設けられた滑車１５を介して調整部材１４の両端に接続されている。
【００３５】
なお、景品載置台１１は、調整部材１４に比べて重く、調整部材１４に対して力が加わっていない場合には、景品載置台１１は、自重により回転軸１１ａを中心に回転し、フロア部１０４の床面に対して傾斜した状態で、軸受１２により支持されている。
【００３６】
また、紐状部材１３は、景品載置台１１がフロア部１０４の床面に対して傾斜した状態のときに、景品収納部１０１内の上下方向（Ｚ１，Ｚ２方向）における調整部材１４の位置がキャッチャー１１０ａの位置より下方に位置する程度の長さを有している。
【００３７】
これにより、後述するように、景品取得部１１０は、キャッチャー１１０ａに調整部材１４に接触させながら調整部材１４を押し下げることができる。
【００３８】
なお、景品載置台１１と、軸受１２と、紐状部材１３と、調整部材１４と、滑車１５とを備える装置を景品配置装置２という。
【００３９】
＜景品獲得装置１の作用＞
次に、図３を用いて、本考案の実施例１である景品獲得装置１の作用について説明する。
【００４０】
図３（ａ）〜（ｅ）は、本考案の実施例１である景品獲得装置１における景品を獲得する一連の動作の流れを模式的に説明した図である。（ａ）は、本考案の実施例１である景品獲得装置１に備えられた景品取得部１１０がフロア部１０４に載置された景品６を係止した状態を示しており、（ｂ）は、本考案の実施例１である景品獲得装置１に備えられた景品取得部１１０が景品６を吊り上げ移動している状態を示しており、（ｃ）は、本考案の実施例１である景品獲得装置１に備えられた景品取得部１１０が調整部材１４を押し下げた状態を示しており、（ｄ）は、本考案の実施例１である景品獲得装置１に備えられた景品載置台１１がフロア部１０４の床面に対して略平行になった状態を示しており、（ｅ）は、本考案の実施例１である景品獲得装置１において景品６が落下した状態を示している。なお、本考案の実施例１である景品獲得装置１における景品を獲得する一連の動作は、制御部１０７からの制御信号に基づいて実行される。
【００４１】
図３（ａ）に示すように、遊技者による操作部１０６の操作釦の操作に基づいて、制御部１０７が、景品６に対してクレーン機構１０３を動作させる。そして、遊技者は、景品取得部１１０がフロア部１０４上に載置された目標とする景品６の真上に到着したと思われるとき操作釦の操作を停止させた場合、制御部１０７は、景品取得部１１０を自動的にＺ１方向に下降させる。これにより、景品取得部１１０のフック１１０ｃが、環形状を有するリング６ａに係止される。
【００４２】
次に、図３（ｂ）に示すように、景品取得部１１０は、フック１１０ｃに景品６を係止した状態で景品収納部１０１内でＺ２方向に上昇した後、景品載置台１１の上方位置まで移動する。このとき、調整部材１４は、景品収納部１０１内の上下方向（Ｚ１，Ｚ２方向）におけるキャッチャー１１０ａの位置より下方に位置している。
【００４３】
そして、図３（ｃ）に示すように、景品取得部１１０は景品載置台１１の上方位置からＺ１方向に下降する。このとき、景品取得部１１０のキャッチャー１１０ａが、景品収納部１０１内で吊り下げ支持された調整部材１４に接触し、この接触した状態を維持したまま調整部材１４を押し下げる。
【００４４】
このように、調整部材１４が押し下げられることにより、調整部材１４と紐状部材１３を介して接続された景品取得部１１０の一辺が、紐状部材１３により引っ張られ、回転軸１１ａを回転軸としてＧ１方向に回転される。
【００４５】
次に、図３（ｄ）に示すように、景品取得部１１０が、さらにＺ１方向に下降すると、景品載置台１１は、フロア部１０４の床面に対して略平行になるまでＧ１方向に回転される。そして、景品取得部１１０が、景品６の近傍まで下降することにより、支持チェーン１１０ｂに弛みが生じ、景品６のリング６ａに係止されたフック１１０ｃが外れる。これにより、景品６が景品載置台１１上に載置される。
【００４６】
その後、図３（ｅ）に示すように、景品取得部１１０がＺ２方向へ上昇すると、調整部材１４は景品載置台１１に比べて軽いので、調整部材１４は、景品取得部１１０のキャッチャー１１０ａと共にＺ２方向へ上昇する。一方、調整部材１４と紐状部材１３を介して接続されている景品載置台１１は、調整部材１４に比べて重いので、自重によりＧ２方向へ回転する。
【００４７】
これにより、景品載置台１１上に載置された景品６は、景品排出口１０４ａに落下し、景品排出口１０４ａから連通する景品受取口１０５ａに排出される。
【００４８】
以上のように、本考案の実施例１である景品獲得装置１によれば、景品収納部１０１内で移動自在に吊り下げ支持され、先端にフック１１０ｃを有する景品取得部１１０を有し、フック１１０ｃを景品６のリング６ａに係止することにより景品６を獲得する。そのため、景品獲得装置１は、景品６を把持する機構を有していないので、景品獲得装置１を運営する運営者が、景品の重量に応じて把持力を調整する煩わしい作業を行うことなく、多種類の景品を景品収納部１０１内に配置することができる。
【００４９】
また、本考案の実施例１である景品獲得装置１によれば、調整部材１４に接触させながら調整部材１４を押し下げることにより、景品載置台１１を景品収納部１０１の床面（フロア部１０４）に対して略水平になる角度まで回動させてフック１１０ｃに係止された景品６を景品載置台１１に載置させると共に、フック１１０ｃの係止が外れる位置まで景品取得部１１０を降下させた後、景品載置台１１から景品６が落下する角度まで景品載置台１１を回動させるように、景品取得部１１０を上昇させるので、フックの開閉機構等の複雑な機械構成を備えることなく、簡易な構成で、多種類の景品を景品収納部内に配置することができる。
【００５０】
また、本考案の実施例１では、景品取得部１１０のキャッチャー１１０ａが、景品収納部１０１内で吊り下げ支持された調整部材１４に接触し、この接触した状態を維持したまま調整部材１４を押し下げる景品獲得装置１を例に挙げて説明したが、これに限らず、キャッチャー１１０ａに調整接触部材を設けるようにしてもよい。
【００５１】
図４は、本考案の実施例１である景品獲得装置１が備える景品取得部１１０を下方から見た図である。
【００５２】
図４に示すように、景品取得部１１０のキャッチャー１１０ａの下方（Ｚ１方向）には、調整接触部材１１０ｄが固定されている。
【００５３】
調整接触部材１１０ｄは、板状部材で成型されており、調整部材１４に接触した状態で押し下げる際、前方（Ｙ１方向）に調整部材１４が外れてしまわないように、下方（Ｚ１方向）の反った反り部１１０ｅを備えている。
【００５４】
これにより、景品取得部１１０が景品載置台１１の上方の位置からＺ１方向に下降すると、景品取得部１１０の調整接触部材１１０ｄが、景品収納部１０１内で吊り下げ支持された調整部材１４に接触し、この接触した状態を維持したまま調整部材１４を押し下げる。
【００５５】
このように、景品取得部１１０のキャッチャー１１０ａの下方に調整接触部材１１０ｄを備えた場合、より確実に調整部材１４を押し下げることができる。なお、調整接触部材１１０ｄは、平板形状に限らず、断面波形形状等でもよく、Ｚ１方向に下降する際、調整部材１４が接触した状態を維持可能な形状であればよい。
【００５６】
なお、本考案の実施例１では、環形状のリング６ａを有する景品６と、このリング６ａに係止するフック１１０ｃを有する景品取得部１１０とを備えた景品獲得装置１を例に挙げて説明したが、これに限らない。例えば、フックを有する景品６と、このフックに係止する環形状を有するリングを有する景品取得部を備えるようにしてもよい。なお、リングの外形は、円形でも多角形でもよく、環形状であればよい。
【符号の説明】
【００５７】
１…景品獲得装置
２…景品配置装置
６…景品
６ａ…リング（第２の係止手段）
６ｂ…景品本体部
１１…景品載置台
１１ａ…回転軸
１２…軸受
１３…紐状部材
１４…調整部材
１４ａ…滑り止め部材
１５…滑車
１０１…景品収納部
１０３…クレーン機構
１０４…フロア部
１０４ａ，１０４ｂ…景品排出口
１０５ａ，１０５ｂ…景品受取口
１０６…操作部
１０７…制御部
１１０，１１１…景品取得部
１１０ａ…キャッチャー
１１０ｂ…支持チェーン
１１０ｃ…フック（第１の係止手段）
１１０ｄ…調整接触部材
【図１】
0003167572.tif 000003
【図２】
0003167572.tif 000004
【図３】
0003167572.tif 000005
【図４】
0003167572.tif 000006